(57)【要約】【課題】整備作業が簡便になるテニスコート用整備具を提供する。【解決手段】テニスコート用整備具１０は、テニスコートのコート面を均すための人工芝１１と、人工芝１１を支持する人工芝支持機構１２と、人工芝支持機構１２に設けられた把手１３とを備える。Ｘ方向において、人工芝１１の長さＬ１１は、人工芝支持機構１２の長さＬ１２よりも長い。人工芝１１は、人工芝支持機構１２に支持された固定部１１ＦＸと、人工芝支持機構１２から離れた自由部１１ＦＲと、固定部から自由部までをつなぐ中間部１１ＦＣとを有する。【選択図】図１
0003173687.tif 000002
【実用新案登録請求の範囲】
【請求項１】
コート面を均すための芝糸及び前記芝糸が設けられた基布を有する人工芝と、
前記基布の一端部が固定される固定部を有する人工芝支持機構と、
前記人工芝支持機構に設けられた把手とを備え、  
前記基布の他端は前記人工芝支持機構から離れた自由端であることを特徴とするテニスコート用整備具。
【請求項２】
第１の前記人工芝と第２の前記人工芝とを有し、
前記第２の人工芝の前記基布は前記第１の人工芝の前記基布と向き合い、
前記人工芝支持機構は、前記第１基布の一端部が固定された第１固定部、及び前記第２基布の一端部が固定された第２固定部を有し、
前記第１基布の他端及び前記第２基布の他端は前記人工芝連結部材から離れた自由端であることを特徴とする請求項１記載のテニスコート用整備具。
【請求項３】
前記第１基布の他端と前記第２基布の他端とが連結されたことを特徴とする請求項２記載のテニスコート用整備具。
【請求項４】
前記把手は、前記人工芝支持機構と平行な軸を中心に回動自在に、前記人工芝支持機構に取り付けられたことを特徴とする請求項２〜３記載のテニスコート用整備具。
【請求項５】
前記把手は、前記人工芝支持機構から着脱自在であることを特徴とする請求項２〜３記載のテニスコート用整備具。
【考案の詳細な説明】
【技術分野】
【０００１】
本考案は、テニスコート用整備具に関する。
【背景技術】
【０００２】
テニスは、老若男女が楽しめるスポーツとして知られている。テニスを行う場合、必要に応じて、テニスコートを整備する必要がある。テニスコートの整備は、テニスコート用整備具の引き回しにより行われることが一般的である。テニスコート用整備具としては、木製やアルミなどの金属製の角材と、角材の下面に植え込まれシダ繊維やナイロンからなるブラシ毛とを有するコートブラシといったものが知られている（例えば、特許文献１〜３）。
【先行技術文献】
【特許文献】
【０００３】
【特許文献１】特開平７−２５０７１１号公報
【特許文献２】実開平２−９３３０９号公報
【特許文献３】実公平７−４３１３５号公報
【考案の概要】
【考案が解決しようとする課題】
【０００４】
しかしながら、このような重いコートブラシを引き回すテニスコートの整備には非常に大きな労力を要する。特に、子供、女性や高齢者等、非力な人にとって、テニスコートの整備作業は過酷なものである。こうしたことから、テニスコートの整備作業の簡便化が望まれている。
【０００５】
本考案は上記問題点に鑑みてなされたものであり、整備作業が簡便になるテニスコート用整備具を提供することを目的とする。
【課題を解決するための手段】
【０００６】
上記目的を達成するテニスコート用整備具は、コート面を均すための芝糸及び前記芝糸が設けられた基布を有する人工芝と、前記基布の一端部が固定される固定部を有する人工芝支持機構と、前記人工芝支持機構に設けられた把手とを備え、前記基布の他端は前記人工芝支持機構から離れた自由端であることを特徴とする。
【０００７】
第１の前記人工芝と第２の前記人工芝とを有し、前記第２の人工芝の前記基布は前記第１の人工芝の前記基布と向き合い、前記人工芝支持機構は、前記第１基布の一端部が固定された第１固定部、及び前記第２基布の一端部が固定された第２固定部を有し、前記第１基布の他端及び前記第２基布の他端は前記人工芝連結部材から離れた自由端であることが好ましい。
【０００８】
前記第１基布の他端と前記第２基布の他端とが連結されたことが好ましい。また、前記把手は、前記人工芝支持機構と平行な軸を中心に回動自在に、前記人工芝支持機構に取り付けられたことが好ましい。さらに、前記把手は、前記人工芝支持機構から着脱自在であることが好ましい。
【考案の効果】
【０００９】
本考案のテニスコート用整備具は、軽量、かつ、自身の回転を行うことなく方向転換が可能であるため、テニスコートの整備作業が簡便になる。
【図面の簡単な説明】
【００１０】
【図１】テニスコート用整備具の概要を示す斜視図である。
【図２】テニスコート用整備具の概要を示す分解斜視図である。
【図３】テニスコート用整備具の概要を示す断面図である。
【図４】テニスコート用整備具の概要を示す断面図である。
【図５】テニスコート用整備具の使用例を示す説明図である。
【図６】テニスコート用整備具の引き回し軌跡の概要を示す平面図である。
【考案を実施するための形態】
【００１１】
図１に示すように、テニスコート用整備具１０は、テニスコートのコート面を均すための環状の人工芝１１と、人工芝１１を支持する人工芝支持機構１２と、人工芝支持機構１２に設けられた把手１３とを備える。  
【００１２】
図１〜２に示すように、人工芝１１は、芝糸１１Ａと基布１１Ｂとを有する人工芝シートからなり、一方向（以下、Ｘ方向と称する）における人工芝シートの両端部同士の連結により、基布１１Ｂが内側となる環状に形成される。Ｘ方向において、環状となった人工芝１１の長さＬ１１は、人工芝支持機構１２の長さＬ１２よりも長い。
【００１３】
人工芝１１は、可撓性を有する。芝糸１１Ａや基布１１Ｂは、樹脂（例えば、ポリエチレン、ポリプロピレン、ポリエステルやナイロン等）製である。人工芝支持機構１２や把手１３は、軽量な材質（例えば、木や、アルミなどの金属）から形成される。
【００１４】
人工芝支持機構１２は、人工芝１１のうちＸ方向に直交するＹ方向の中央部分１１Ｃを支持する中央支持部１２Ｃと、人工芝１１のうちＹ方向両端部分１１Ｌ、１１Ｒを支持する端支持部１２Ｌ、１２Ｒとを有する。端支持部１２Ｌは、Ｙ方向に延びる支持板１２ＬＡと、支持板１２ＬＡの上面に取り付けられる抑え具１２ＬＢとを有する。支持板１２ＬＡの下面は、人工芝１１の基布１１Ｂと接する。同様に、端支持部１２Ｒは、Ｙ方向に延びる支持板１２ＲＡと、支持板１２ＲＡの上面に取り付けられる抑え具１２ＲＢとを有する。支持板１２ＲＡの下面は、人工芝１１の基布１１Ｂと接する。なお、支持板１２ＬＡや支持板１２ＲＡの代わりに、Ｙ方向に延びる支持棒を用いてもよい。
【００１５】
中央支持部１２Ｃは、Ｙ方向に延びる板状の連結具１２ＣＡと、挿入筒１２ＣＴとを有する。挿入筒１２ＣＴは、連結具１２ＣＡの上面から上方に向かって伸び、その先端に、把手１３の端部が挿入可能な開口を有する。連結具１２ＣＡのＹ方向両端部（以下、それぞれ連結具端部と称する）１２ＣＲ、１２ＣＬは、それぞれ、支持板１２ＲＡのＹ方向中央側の端部（以下、支持板端部と称する）１２ＲＥと、支持板１２ＬＡのＹ方向中央側の端部端部（以下、支持板端部と称する）１２ＬＥと嵌合可能な形状（例えば、断面コ字状）に形成される。
【００１６】
図２に示すように、連結具端部１２ＣＬ、１２ＣＲには、貫通孔２１Ｌ、２１Ｒが、上面から下面にかけて形成される。また、支持板端部１２ＲＥには貫通孔２２Ｒが、支持板端部１２ＬＥには貫通孔２２Ｌが、それぞれ上面から下面にかけて形成される。貫通孔２１Ｌ〜２２Ｌ、２１Ｒ〜２２Ｒが重なるように、支持板端部１２ＬＥ、１２ＲＥが、連結具端部１２ＣＬ、１２ＣＲに嵌め合わされる。
【００１７】
さらに、中央支持部１２Ｃは、ボルト３１Ｌ、３１Ｒとナット３２Ｌ、３２Ｒを有する。図３に示すように、ボルト３１Ｌを貫通孔２２Ｌ側から挿入し、ボルト３１Ｌのうち貫通孔２１Ｌから突出した部分にナットを締める。同様に、図示は省略するが、ボルト３１Ｒを貫通孔２２Ｒ側から挿入し、ボルト３１Ｒのうち貫通孔２１Ｒから突出した部分をナットで締める。こうして、支持板１２ＲＡ、１２ＬＡと、連結具１２ＣＡとが連結される。
【００１８】
図２に示すように、支持板１２ＬＡの貫通孔２２ＬよりもＹ方向端側では、上面から下面にかけて形成される貫通孔４１ＬがＹ方向に並ぶ。支持板１２ＲＡの貫通孔２２ＲよりもＹ方向端側では、上面から下面にかけて形成される貫通孔４１ＲがＹ方向に並ぶ。貫通孔４１Ｌ、４１Ｒの内壁面にはネジが形成される。抑え具１２ＬＢには上面から下面にかけて形成される貫通孔４２ＬがＹ方向に並び、抑え具１２ＲＢには上面から下面にかけて形成される貫通孔４２ＲがＹ方向に並ぶ。
【００１９】
人工芝１１のＹ方向端部１１Ｌのうち、Ｘ方向の一端部には貫通孔４３Ｌが、Ｘ方向の他端部には貫通孔４４Ｌが形成される。人工芝１１の一端部１１Ｒのうち、Ｘ方向の一端部には貫通孔４３Ｒが、Ｘ方向の他端部には貫通孔４４Ｒが形成される。貫通孔４１Ｌ〜４４Ｌの形成ピッチは互いに等しい。貫通孔２２Ｌと貫通孔４１Ｌとの間隔は、貫通孔５１Ｌと貫通孔４３Ｌとの間隔と等しい。同様に、貫通孔４１Ｒ〜４４Ｒの形成ピッチも互いに等しく、貫通孔２２Ｒと貫通孔４１Ｒとの間隔は、貫通孔５１Ｒと貫通孔４３Ｒとの間隔と等しい。
【００２０】
人工芝１１のＹ方向中央部分１１Ｃにおいて、Ｘ方向の一端部には貫通孔５１Ｌ、５１Ｃ、５１Ｒが形成され、Ｘ方向他端部には貫通孔５２Ｌ、５２Ｃ、５２Ｒが形成される。
貫通孔５１Ｌ、５１Ｃ、５１Ｒの形成ピッチ、及び貫通孔５２Ｌ、５２Ｃ、５２Ｒの形成ピッチは、それぞれ、貫通孔２１Ｒ、挿入筒１２ＣＴ、貫通孔２１Ｌの形成ピッチと対応する。
【００２１】
図４に示すように、貫通孔４１Ｌ〜４４Ｌが重なるように、支持板１２ＬＡに、人工芝１１のＸ方向一端部・人工芝１１のＸ方向他端部・抑え具１２ＬＢを、この順に重ねる。そして、ネジ４７を貫通孔４２Ｌ側から挿入する。貫通孔４１Ｌとネジ４７とにより、人工芝１１のＹ方向端部１１Ｌが支持板１２ＬＡに連結される。図示は省略するが、貫通孔４１Ｒ〜４４Ｒが重なるように、支持板１２ＲＡに、人工芝１１のＸ方向一端部・人工芝１１のＸ方向他端部・抑え具１２ＲＢを、この順に重ねる。そして、ネジを貫通孔４２Ｒ側から挿入する。貫通孔４１Ｒとネジとにより、人工芝１１のＹ方向端部１１Ｒが支持板１２ＲＡに連結される。
【００２２】
図２に戻って、ボルト３１Ｌのうちナット３２Ｌから突出した部分は、人工芝１１の貫通孔５１Ｌ、５２Ｌへこの順で挿入され、ボルト３１Ｒのうちナット３２Ｒから突出した部分は、人工芝１１の貫通孔５１Ｌ、５２Ｌへこの順で挿入される。また、挿入筒１２ＣＴは、貫通孔５１Ｃ、５２Ｃにこの順で挿入される。図１に示すように、ボルト３１Ｌ、３１Ｒの突出部分や挿入筒１２ＣＴにより、連結具１２ＣＡにＹ方向中央部分１１Ｃが係止される。
【００２３】
挿入筒１２ＣＴには、把手１３が挿入される。図示は省略するが、把手１３の挿入端、及び挿入筒１２ＣＴにはそれぞれＹ方向に延びる貫通孔が形成され、貫通孔に留め具が挿入される。留め具により、把手１３が人工芝支持機構１２に固定される。このように、把手１３が人工芝支持機構１２に自在であるため、収容時の省スペース化を図ることができる。
【００２４】
こうして、人工芝１１は、人工芝支持機構１２に支持された固定部１１ＦＸと、人工芝支持機構１２から離れた自由部１１ＦＲと、固定部から自由部までをつなぐ中間部１１ＦＣとを有する。
【００２５】
次に、テニスコート用整備具１０を用いた、人工芝に砂をまいてなる砂入り人工芝コートの整備方法について説明する。なお、砂入り人工芝コートとしては、例えば、住友ゴム工業のオムニコート（登録商標）、東レのスパックサンド（登録商標）、三菱化成のダイヤサンドなどが知られており、テニスコート用整備具１０は、いずれの砂入り人工芝コートでも適用可能である。
【００２６】
砂入り人工芝コートを整備する場合には、人工芝１１がコート面に接した状態で、テニスコート用整備具１０をＸ方向へ引っ張る（図１参照）。これにより、コート面に接した人工芝１１が、コート面から枯葉などの異物を取り除くとともに、コート面をなす人工芝や砂を均すことができる。このように、テニスコート用整備具１０のＸ方向へ移動させることにより、コート面に接触する人工芝１１の移動軌跡が整備される。この移動軌跡を整備エリアＡ１（図５参照）と称する。
【００２７】
次に、整備エリアＡ１のＹ方向隣のエリアを整備するためには、テニスコート用整備具１０をＹ方向へスライド移動させる。スライド移動は、人工芝１１がコート面に接した状態でもよいし、人工芝１１がコート面から離れた状態でもよい。そして、スライド移動の後、テニスコート用整備具１０の把手１３をＸ方向と反対方向（紙面に向かって手前方向）へ引っ張ると、コート面に接していた芝糸１１ＡＸが上向きに、上向きの芝糸１１ＡＹがコート面に接することとなる（図６参照）。このまま、テニスコート用整備具１０の把手１３をＸ方向と反対方向へ引っ張ると、コート面に接触する人工芝１１の移動軌跡が整備される。この移動軌跡を整備エリアＡ２（図５参照）と称する。このように、テニスコート用整備具１０を、Ｘ方向、Ｙ方向、Ｘ方向と反対方向、Ｙ方向、Ｘ方向・・・と繰り返すと、人工芝コート全面を整備することができる。
【００２８】
このように、テニスコート用整備具１０は、人工芝１１を有するため、コート面上の異物（枯葉など）を取り除きながら、コート面をなす人工芝や砂を均すことができる。また、人工芝１１が従来のブラシ毛に比べて軽量であるため、テニスコート用整備具１０の移動が容易に行える。
【００２９】
さらに、環状の人工芝１１が自由端１１ＦＲを有するため、テニスコート用整備具１０は、自身を回転させることなく、テニスコート用整備具１０の方向転換を行うことができる。すなわち、テニスコート用整備具１０によれば、小さな力でも、テニスコート用整備具１０の方向転換を行うことができる。
【００３０】
このように、子供、女性や高齢者等、非力な人であっても、テニスコートの整備作業を簡便に行うことができる。
【００３１】
加えて、自由端１１ＦＲの存在により、コート面をなす人工芝に余計な力がかかりにくいため、コート面をなす人工芝を傷めずに済む。
【００３２】
上記実施形態では、支持板１２Ｌ、１２Ｒの上面でＸ方向両端が固定されてなる環状の人工芝１１を用いたが、本考案はこれに限られず、支持板１２Ｌ、１２Ｒの上面でＸ方向一端が固定され支持板１２Ｌ、１２Ｒの下面でＸ方向他端が固定されてなる人工芝１１を用いてもよい。
【００３３】
また、支持板１２Ｌ、１２Ｒの上面に固定される人工芝と、支持板１２Ｌ、１２Ｒの下面に固定される人工芝とは、連なっていない、すなわち別個のものであってもよい。そして、支持板１２Ｌ、１２Ｒの上面に固定される人工芝と、支持板１２Ｌ、１２Ｒの下面に固定される人工芝とが、別途の連結部材により連なっていてもよい。なお、支持板１２Ｌ、１２Ｒの上面に固定される人工芝を省略してもよい。支持板１２Ｌ、１２Ｒに人工芝が固定される位置は、上面、側面、下面等のいずれでもよい。
【００３４】
上記実施形態では、把手１３の挿入端及び挿入筒１２ＣＴに形成されたＹ方向に延びる貫通孔へ留め具を挿入して人工芝支持機構１２に把手１３を固定させたが、本考案はこれに限られず、留め具に代えて回動軸を用いてもよい。回動軸により、把手１３は、Ｙ方向に平行な軸を中心に回動自在となって人工芝支持機構１２に連結されるため、テニスコート用整備具１０の方向転換が容易となる。
【００３５】
なお、テニスコート用整備具１０の人工芝１１は、整備対象となる砂入り人工芝コートの人工芝と同種のものであることがより好ましい。
【００３６】
上記実施形態では、砂入り人工芝コートの整備にテニスコート用整備具１０を用いたが、本考案はこれに限られず、クレーコート、ハードコート、グラスコートなどのように、いずれのテニスコートの整備にテニスコート用整備具１０を用いることができる。
【符号の説明】
【００３７】
１０    テニスコート用整備具
１１    人工芝
１１Ａ    芝糸
１１Ｂ    基布
１１ＦＲ  自由部
１１ＦＣ  中間部
１１ＦＸ  固定部
１２    人工芝支持機構
１３    把手
【図１】
0003173687.tif 000003
【図２】
0003173687.tif 000004
【図３】
0003173687.tif 000005
【図４】
0003173687.tif 000006
【図５】
0003173687.tif 000007
【図６】
0003173687.tif 000008